(57)【要約】【課題】ＩＣチップ４２０が付された印刷用紙４０を廃棄等する場合に、ＩＣチップ４２０を電場または磁場にさらして、記憶されたデータを読み出しできないように処理する。【解決手段】機密情報等を記憶しているＩＣチップ４２０が付された印刷用紙４０を廃棄する場合、シュレッダ２は、放電ユニット２０において、ＩＣチップ４２０に電圧を印加して破壊して機密情報の読出しを不能にし、その後に、印刷用紙４０を破砕カッタ２２で破砕して廃棄する。【選択図】　　　　　図２
2004141854.tif 000002
【特許請求の範囲】
【請求項１】
画像が表示された画像表示部材をシュレッダ処理するシュレッダ装置であって、前記画像表示部材は、所定のデータを記憶したデータ記憶装置を有し、
前記データ記憶装置に記憶されていたデータを破壊する破壊処理手段と、
前記表示された画像が視認できないように、前記画像表示部材をシュレッダ処理するシュレッダ処理手段と
を有するシュレッダ装置。
【請求項２】
前記破壊処理手段は、前記データ記憶装置を電場および磁場またはこれらのいずれかにさらして、前記記憶されていたデータを破壊する
請求項１に記載のシュレッダ装置。
【請求項３】
前記破壊処理手段は、前記データ記憶装置を物理的に破壊する
請求項１に記載のシュレッダ装置。
【請求項４】
前記破壊処理手段は、前記シュレッダ処理手段よりも、前記シュレッダ装置に前記画像表示部材を挿入するための挿入口に近い位置に設けられる
請求項１〜３のいずれかに記載のシュレッダ装置。
【請求項５】
前記シュレッダ処理手段は、前記電場または磁場にさらされた後の画像表示部材を処理する
請求項２に記載のシュレッダ装置。
【請求項６】
前記破壊処理手段は、前記データ記憶装置に電圧を印加して、前記データ記憶装置を破壊し、前記記憶されていたデータを破壊する
請求項２に記載のシュレッダ装置。
【請求項７】
前記破壊処理手段は、電磁波を印加して、前記記憶されていたデータ以外の上書データを前記データ記憶装置に上書きし、前記記憶されていたデータを破壊する
請求項１に記載のシュレッダ装置。
【請求項８】
前記データ記憶装置の有無を検出する検出手段と、
前記検出手段がデータ記憶装置を検出した場合に、前記破壊処理手段を動作させるように制御する制御手段と
をさらに有する請求項１〜７のいずれかに記載のシュレッダ装置。
【請求項９】
画像表示部材の有無を検出する表示部材検出手段と、
前記表示部材検出手段が画像表示部材を検出した場合に、前記破壊処理手段および前記シュレッダ処理手段の少なくとも一方を動作させるように制御する制御手段と
をさらに有する請求項１〜７のいずれかに記載のシュレッダ装置。
【請求項１０】
画像が表示された画像表示部材をシュレッダ処理するシュレッダ処理方法であって、前記画像表示部材は、所定のデータを記憶したデータ記憶装置を有し、
前記データ記憶装置に記憶されていたデータを破壊し、
前記表示された画像が視認できないように、前記画像表示部材をシュレッダ処理する
シュレッダ処理方法。
【発明の詳細な説明】
【０００１】
【発明の属する技術分野】
本発明は、非接触メモリが付された画像表示媒体をシュレッダ処理するシュレッダ装置およびその方法に関する。
【０００２】
【従来の技術】
例えば、非特許文献１は、記憶したデータを、外部から非接触で読み取ることができる小型の半導体チップ（「ミューチップ」）を開示する。
また、特許文献１〜特許文献６は、上述の半導体チップの応用例を開示する。
【０００３】
【特許文献１】
特開２００１−２２９１９９号公報
【特許文献２】
特開２０００−２８５２０３号公報
【特許文献３】
特開２００１−１３４６７２号公報
【特許文献４】
特開２００１−２８３０１１号公報
【特許文献５】
特開２００１−１４８０００号公報
【特許文献６】
特開２００１−２６０５８０号公報
【非特許文献１】
ｈｔｔｐ：／／ｐｃｗｅｂ．ｍｙｃｏｍ．ｃｏ．ｊｐ／ｎｅｗｓ／２００１／０７／０５／２２．ｈｔｍｌ
【０００４】
【発明が解決しようとする課題】
本発明は、上述した背景からなされたものであり、半導体チップなどのデータ記憶装置が付された画像表示部材を廃棄する場合に、データ記憶装置に記憶されたデータを破壊し、読み出しできないようにすることができるシュレッダ装置およびその方法を提供することを目的とする。
【０００５】
【課題を解決するための手段】
［シュレッダ装置］
上記目的を達成するために、本発明にかかるシュレッダ装置は、画像が表示された画像表示部材をシュレッダ処理するシュレッダ装置であって、前記画像表示部材は、所定のデータを記憶したデータ記憶装置を有し、前記データ記憶装置に記憶されていたデータを破壊する破壊処理手段と、前記表示された画像が視認できないように、前記画像表示部材をシュレッダ処理するシュレッダ処理手段とを有する。
【０００６】
好適には、前記破壊処理手段は、前記データ記憶装置を電場および磁場またはこれらのいずれかにさらして、前記記憶されていたデータを破壊する。
好適には、前記破壊処理手段は、前記データ記憶装置を物理的に破壊する。
【０００７】
好適には、前記破壊処理手段は、前記シュレッダ処理手段よりも、前記シュレッダ装置に前記画像表示部材を挿入するための挿入口に近い位置に設けられる。好適には、前記シュレッダ処理手段は、前記電場または磁場にさらされた後の画像表示部材を処理する。
【０００８】
好適には、前記破壊処理手段は、前記データ記憶装置に電圧を印加して、前記データ記憶装置を破壊し、前記記憶されていたデータを破壊する。
好適には、前記破壊処理手段は、電磁波を印加して、前記記憶されていたデータ以外の上書データを前記データ記憶装置に上書きし、前記記憶されていたデータを破壊する。
【０００９】
好適には、前記データ記憶装置の有無を検出する検出手段と、前記検出手段がデータ記憶装置を検出した場合に、前記破壊処理手段を動作させるように制御する制御手段とをさらに有する。
好適には、画像表示部材の有無を検出する表示部材検出手段と、前記表示部材検出手段が画像表示部材を検出した場合に、前記破壊処理手段および前記シュレッダ処理手段の少なくとも一方を動作させるように制御する制御手段とをさらに有する。
好適には、前記シュレッダ処理手段は、前記表示された画像が視認できないように、前記画像表示部材を破砕する。
【００１０】
［シュレッダ処理方法］
また、本発明にかかるシュレッダ処理方法は、画像が表示された画像表示部材をシュレッダ処理するシュレッダ処理方法であって、前記画像表示部材は、所定のデータを記憶したデータ記憶装置を有し、前記データ記憶装置に記憶されていたデータを破壊し、前記表示された画像が視認できないように、前記画像表示部材をシュレッダ処理する。
【００１１】
【発明の実施の形態】
［背景］
本発明の理解を助けるために、まず、本発明がなされるに至った背景を説明する。
極小サイズの半導体チップを、漉き込むなどの方法により印刷用紙（画像表示部材）に付し、この半導体チップに情報を記憶させることにより、印刷用紙は、印刷用紙表面から視認される画像情報に加えて、半導体チップに記憶している情報を提供することが可能となった。
この半導体チップは、１ｍｍ以下にすることができ、印刷用紙に付しても印刷された画像に影響を与えることはない。
【００１２】
このような印刷用紙をシュレッダで破砕（シュレッダ処理）しても、半導体チップが小さいために破壊されない場合があり、半導体チップに記憶されたデータは読み出し可能である。
そのため、半導体チップに機密情報等が記憶されていた場合には、記憶されていた情報が外部に漏洩する虞がある。
【００１３】
本発明にかかるシュレッダ処理方法は、以上のような背景から、印刷用紙を破砕するときに、半導体チップに高電圧等を印加して、印刷用紙に付された半導体チップのデータを破壊する。
本発明にかかるシュレッダ処理方法は、このようにして、半導体チップに記憶された情報を読み出しできないよう処理し、さらに印刷用紙上の画像を視認できないよう処理して、情報の漏洩を防止する。
【００１４】
［実施例］
以下、本発明にかかるシュレッダ処理方法の実施例を、具体例を挙げて説明する。
図１は、本発明にかかるシュレッダ処理方法において処理される印刷用紙４０（画像表示部材）を例示する図である。
図１に示すように、印刷用紙４０には、画像が印刷されている。
印刷用紙４０に印刷される画像は、例えば、機密情報であり、閲覧された後は機密情報が視認できないように後処理されることが望まれる。
【００１５】
また、印刷用紙４０には、ＩＣチップ４２０（データ記憶装置）が付されている。
印刷用紙４０に付されたＩＣチップ４２０は、非接触にデータの読み出し可能な半導体チップであり、例えば、印刷用紙４０の表面に印刷された機密情報よりもさらに機密性の高い情報が記憶される。
ＩＣチップ４２０に記憶される情報も、閲覧後は、読み出しできないように処理されることが望まれる。
なお、ＩＣチップ４２０は、ＲＯＭまたはＲＡＭのいずれにより構成されてもよい。
【００１６】
［シュレッダ２］
図２は、本発明にかかるシュレッダ処理方法が適応されるシュレッダ２（シュレッダ装置）のハードウェア構成を例示する図である。
図２に例示するように、シュレッダ２は、シュレッダ２の各構成部分の動作を制御する制御装置１２（制御手段）、シュレッダ２の各構成部分に電力を供給する電源装置１４、ＬＣＤ表示装置あるいはＣＲＴ表示装置およびキーボード・タッチパネルなどを含むユーザインタフェース装置（ＵＩ装置）１６、挿入口センサ１８（表示媒体検出手段）、ＩＣチップ４２０に電圧を印加する放電ユニット２０（破壊処理手段）、印刷用紙４０を破砕する破砕カッタ２２（シュレッダ処理手段）、および、破砕された印刷用紙４０を収容する収容部２３から構成される。
また、シュレッダ２の筐体の上面４には、印刷用紙４０を挿入するための挿入口６が形成されており、シュレッダ２の筐体内部には、挿入口６から挿入された印刷用紙４０を搬送する搬送路８が形成されている。
この搬送路６は、破砕カッタ２２で破砕された印刷用紙４０（以下、切り屑）を、収容部２３に搬送する。
【００１７】
ＵＩ装置１６は、シュレッダ２の筐体の上面４に配設され、シュレッダ２の状態（運転中または切り屑満杯等）を表示する。
挿入口センサ１８は、例えば、印刷用紙４０の有無を検知する光センサであり、挿入口６の近傍に配設され、挿入口６に挿入される印刷用紙４０を検知する。
【００１８】
放電ユニット２０は、搬送路８の近傍に配設され、印刷用紙４０に高電圧を印加する。
破砕カッタ２２−１および破砕カッタ２２−２は、互いに側面が接触する切り刃であり、搬送路８に配設されている。
破砕カッタ２２−１および破砕カッタ２２−２は、それぞれ回転軸２２２−１および回転軸２２２−２を有し、モータ（不図示）の駆動力を得て、印刷用紙４０を収容部２３へ引き込む方向に回転し、搬送路８を搬送されてくる印刷用紙４０を破砕する（シュレッダ処理）。
破砕カッタ２２−１および破砕カッタ２２−２は、印刷用紙４０に印刷された画像が視認できない程度の細かさで、印刷用紙４０を破砕することが望ましい。
【００１９】
収容部２３は、破砕カッタ２２で破砕された切り屑を収容する。
収容部２３は、切り屑を取り出すための取出し口（不図示）を有し、収容部２３に蓄積された切り屑は、収容部２３から取り出されて廃棄される。
【００２０】
［放電ユニット２０］
図３は、図２に示した放電ユニット２０の概略を説明する図である。
図３に示すように、放電ユニット２０は、導電性を有する放電ワイヤ２０２、シールドケース２０４およびベース電極２０６などから構成される。
放電ワイヤ２０２は、例えば、微小径のタングステン線であり、電源装置１４により印加された電圧を利用して、ベース電極２０６に向けてコロナ放電を発生させる。
シールドケース２０４は、放電ワイヤ２０２の周囲を囲むように形成されたアルミニウム等の金属板であり、ベース電極２０６に対向する面に開口を有する。放電ユニット２０は、印刷用紙４０が放電ワイヤ２０２とベース電極２０６との間に位置するときに、コロナ放電を発生させ、印刷用紙４０に付されたＩＣチップ４２０の中に過電流を発生させて、ＩＣチップ４２０を物理的に破壊する。
【００２１】
［全体動作］
図４は、図２に示したシュレッダ２の動作（Ｓ１０）を示すフローチャートである。
図４に示すように、ステップ１００（Ｓ１００）において、ユーザが、廃棄する印刷用紙４０（図１）を挿入口６（図２）に挿入すると、挿入口センサ１８は、印刷用紙４０が挿入されたことを検知して、制御装置１２にその旨を伝える。
制御部１２は、各構成部分を制御して、印刷用紙４０のシュレッダ処理を開始させる。
具体的には、制御部１２は、印刷用紙４０が挿入口センサ１８により検知されると、放電動作を開始するよう放電ユニット２０を制御し、破砕動作を開始するよう破砕カッタ２２を制御する。
また、電源装置１４は、制御部１２の制御に従い、放電ユニット２０などに電力を供給する。
【００２２】
ステップ１０２（Ｓ１０２）において、搬送路８（図２）は、制御装置１２の制御に応じて、挿入された印刷用紙４０を放電ユニット２０の位置まで搬送する。
【００２３】
ステップ１０４（Ｓ１０４）において、放電ユニット２０（図２）は、搬送されてきた印刷用紙４０に高電圧を印加してコロナ放電を発生させる。
【００２４】
ステップ１０６（Ｓ１０６）において、コロナ放電の後、搬送路８が、印刷用紙４０を破砕カッタ２２の位置まで搬送すると、破砕カッタ２２−１および破砕カッタ２２−２は、回転して印刷用紙４０を破砕する。
シュレッダ２は、破砕された印刷用紙４０を収容部２３に搬送して、処理を終了する。
【００２５】
以上のように、シュレッダ２は、印刷用紙４０に対してコロナ放電を発生させ、印刷用紙４０に付されたＩＣチップ４２０に過電流を発生させて、ＩＣチップ４２０の半導体回路の少なくとも一部を破壊し、ＩＣチップ４２０内のデータを読み出しできないようにする。
さらに、シュレッダ２は、印刷用紙４０を破砕し、印刷用紙４０に印刷された画像を視認できないようにする。
【００２６】
［第１変形例］
なお、ＩＣチップ４２０が書込み可能な半導体チップである場合、ＩＣチップ４２０にデータ（以下、上書きデータ）を上書きすることにより、ＩＣチップ４２０に記憶されていた情報を破壊してもよい。
【００２７】
図５は、第２のシュレッダ３のハードウェア構成を示す。
図５に示すように、シュレッダ３は、シュレッダ２の放電ユニット２０を、ＩＣチップインターフェース（ＩＣチップＩＦ）２４に変更した構成を採る。
ＩＣチップＩＦ２４は、ＩＣチップ４２０に電磁波を印加して、ＩＣチップ４２０に記憶されているデータを書き換える（図６および図７を参照して後述する）。
なお、シュレッダ３の各構成部分の内、シュレッダ２の各構成部分と実質的に同一な部分には同一の符号が付してある。
【００２８】
［ＩＣチップ４２０・ＩＣチップＩＦ２４］
図６は、データの書込み可能なＩＣチップ４２０の構成を示す図である。
図７は、図５に示したＩＣチップＩＦ２４の構成を示す図である。
図６に示すように、ＩＣチップ４２０は、アンテナ４２２、クロック再生回路４２４、メモリ回路４２６、データ送受信回路４２８および電源回路４３０から構成される。
なお、印刷用紙４０のＩＣチップ４２０が、ＩＣチップＩＦ２４のごく近傍を通過することが保証されている場合には、アンテナ４２２を有さないＩＣチップ４２０が用いられる場合がある。
【００２９】
また、図７に示すように、ＩＣチップＩＦ２４は、送信制御回路２４２、送信回路２４４、上書きデータ生成回路２４６、変調回路２４８およびアンテナ２５０から構成される。
以下に説明するＩＣチップ４２０およびＩＣチップＩＦ２４の各構成部分の動作により、ＩＣチップＩＦ２４を介して、ＩＣチップ４２０に上書きデータが非接触で書き込まれ、ＩＣチップ４２０に記憶された機密情報等を示すデータが上書きデータに書き換えられる。
【００３０】
ＩＣチップ４２０（図６）において、電源回路４３０は、アンテナ４２２を介して供給される電波信号を整流して、ＩＣチップ４２０の各構成部分に対して、それらの動作に必要な電力を供給する。
【００３１】
クロック再生回路４２４は、アンテナ４２２を介してＩＣチップＩＦ２４から供給される電波信号から、クロック信号を再生し、メモリ回路４２６およびデータ送受信回路４２８に対して出力する。
【００３２】
メモリ回路４２６は、例えば不揮発性のＲＡＭであって、クロック再生回路４２４から入力されたクロック信号に同期して、データ送受信回路４２８から入力される上書きデータを記憶する。
【００３３】
データ送受信回路４２８は、アンテナ４２２から入力される電波信号からデータを復調し、クロック再生回路４２４から入力されるクロック信号に同期して、メモリ回路４２６に対して出力する。
【００３４】
また、ＩＣチップ４２０が外部にデータを送信する場合、データ送受信回路４２８は、メモリ回路４２６から入力されるデータの値に従って、外部から供給される電波信号の反射強度を、上記クロック信号に同期して変更する。
このように、メモリ回路４２６が記憶したデータは、外部からＩＣチップ４２０に対して送信された電波信号の反射信号の強度を変更することにより、ＩＣチップ４２０から外部に対して送信される。
【００３５】
ＩＣチップＩＦ２４（図７）において、送信制御回路２４４は、ＩＣチップＩＦ２４の各構成部分の動作を制御する。
また、送信制御回路２４４は、上書きデータ生成回路２４６から入力されるデータを、変調回路２９０に対して出力する。
【００３６】
変調回路２４８は、送信制御回路２４２から入力されるデータで電波信号を変調し、送信回路２４４に対して出力する。
【００３７】
送信回路２４４は、ＩＣチップ４２０に記憶させるデータおよびクロック信号などを含む電波信号を、アンテナ２５０を介して、ＩＣチップ４２０に対して送信する。
【００３８】
上書きデータ生成回路２４６は、ＩＣチップ４２０に書き込むデータを生成し、送信制御回路２４２に対して出力する。
例えば、上書きデータ生成回路２４６は、データ後処理済みであることを示すデータを生成する。
【００３９】
図８は、図５に示したシュレッダ３の動作（Ｓ２０）を示すフローチャートである。
なお、図８に示した処理の内、図４に示した処理と実質的に同一なものには、同一の符号が付してある。
シュレッダ３の動作において、Ｓ１０２の処理において印刷用紙４０がＩＣチップＩＦ２４の近傍まで搬送されてくると、ステップ１０８（Ｓ１０８）において、ＩＣチップＩＦ２４（図５）は、印刷用紙４０のＩＣチップ４２０に記憶されていたデータを上書きデータに書き換える。
【００４０】
このように、ＩＣチップ４２０にデータを上書きして機密情報等を読み出しできないようにすることは、破砕された印刷用紙４０からＩＣチップ４２０を抽出し再利用したい場合に好適である。
【００４１】
［第２変形例］
また、シュレッダ２は、印刷用紙４０にＩＣチップ４２０が付されているか否かを検知し、ＩＣチップ４２０が付されている場合に、ＩＣチップ４２０内のデータを読出しできないようにしてもよい。
【００４２】
図９は、第３のシュレッダ５のハードウェア構成を示す図である。
図９に示すように、シュレッダ５は、シュレッダ２の放電ユニット２０の上流に、ＩＣチップＩＦ２４を追加した構成を採る。
ＩＣチップＩＦ２４は、ＩＣチップ４２０の有無を検知する検知手段の一例であり、ＩＣチップ４２０と通信を行うことにより、ＩＣチップ４２０の有無を検知する。
なお、シュレッダ５の各構成部分の内、シュレッダ２の各構成部分と実質的に同一な部分には同一の符号が付してある。
【００４３】
図１０は、図９に示したＩＣチップＩＦの構成を示す図である。
図１０に示すように、ＩＣチップＩＦ２４は、送受信制御回路２４３、送信回路２４４、受信回路２４５、復調回路２４７および変調回路２４８から構成される。
なお、送信回路２４４、変調回路２４８およびアンテナ２５０は、図７に示したものと実質的に同一である。
【００４４】
送受信制御回路２４３は、ＩＣチップＩＦ２４の各構成部分の動作を制御する。
また、送受信制御回路２４３は、受信回路２４５により受信され、復調回路２４７により復調されたデータ（ＩＣチップ４２０の有無、ＩＣチップ４２０の識別情報、ＩＣチップ４２０内のデータ識別情報など）を、制御装置１２（図９）に対して出力する。
なお、制御装置１２は、送受信制御回路２４３から入力されたデータ（ＩＣチップ４２０の有無、ＩＣチップ４２０の識別情報、ＩＣチップ４２０内のデータ識別情報など）に基づいて、放電ユニット２０（図９）を動作させるか否かを決定し、放電ユニット２０を制御する。
【００４５】
送信回路２４４は、アンテナ２５０を介して、クロック信号などを含む電波信号を、ＩＣチップ４２０に対して供給する。
【００４６】
受信回路２４５は、ＩＣチップ４２０側からの反射信号を受信し、復調回路２４７に対して出力する。
【００４７】
復調回路２４７は、受信回路２４５から入力される反射信号の変化から、ＩＣチップ４２０が送信したデータを復調し、送受信制御回路２４３に対して出力する。
【００４８】
上記構成により、制御装置１２は、ＩＣチップＩＦ２４からＩＣチップ４２０を検出した旨を受け取ると、放電動作を開始するよう放電ユニット２０を制御し、これ以外の場合に、放電ユニット２０に対して放電動作を禁止する。
このように、本変形例のシュレッダ５は、ＩＣチップ４２０を検知した場合にのみ放電動作を開始させることにより、ＩＣチップ４２０が付されていない印刷用紙に対しては放電動作を禁止して、消費電力量を低減させることができる。
【００４９】
［その他の変形例］
シュレッダ２（図２）は、コロナ放電などの非接触放電を用いてＩＣチップ４２０を破壊したが、導電ブラシまたは導電ローラなどを直接印刷用紙４０に接触させて、印刷用紙４０を帯電させ、印刷用紙４０に付されたＩＣチップ４２０を破壊してもよい。
また、印刷用紙４０に付されたデータ記憶装置が磁気記録装置である場合には、図２に示したシュレッダ２の放電ユニット２０を、高磁場を発生させる磁場生成ユニットに変更し、この磁場生成ユニットが、印刷用紙４０に付された磁気記録装置を高磁場にさらして、この磁気記録装置内のデータを破壊してもよい。
【００５０】
【発明の効果】
以上説明したように、本発明にかかるシュレッダ装置およびその方法によれば、データ記憶装置が付された画像表示部材を廃棄等する場合に、データ記憶装置に記憶されたデータを破壊する。
【図面の簡単な説明】
【図１】本発明にかかる後処理方法において処理される印刷用紙（画像表示部材）を例示する図である。
【図２】本発明にかかる後処理方法が適応されるシュレッダ（シュレッダ装置）のハードウェア構成を例示する図である。
【図３】図２に示した放電ユニットの概略を説明する図である。
【図４】図２に示したシュレッダの動作（Ｓ１０）を示すフローチャートである。
【図５】第２のシュレッダのハードウェア構成を示す。
【図６】データの書込み可能なＩＣチップの構成を示す図である。
【図７】図５に示したＩＣチップＩＦの構成を示す図である。
【図８】図５に示したシュレッダの動作（Ｓ２０）を示すフローチャートである。
【図９】第３のシュレッダ５のハードウェア構成を示す図である。
【図１０】図９に示したＩＣチップＩＦの構成を示す図である。
【符号の説明】
２，３，５・・・シュレッダ
４・・・上面
６・・・挿入口
８・・・搬送路
１２・・・制御装置
１４・・・電源装置
１６・・・ＵＩ装置
１８・・・挿入口センサ
２０・・・放電ユニット
２０２・・・放電ワイヤ
２０４・・・シールドケース
２０６・・・ベース電極
２２・・・破砕カッタ
２２２・・・回転軸
２３・・・収容部
２４・・・ＩＣチップＩＦ
２４２・・・送信制御回路
２４３・・・送受信制御回路
２４４・・・送信回路
２４５・・・受信回路
２４６・・・上書きデータ生成回路
２４７・・・復調回路
２４８・・・変調回路
２５０・・・アンテナ
４０・・・印刷用紙
４２０・・・ＩＣチップ
４２２・・・アンテナ
４２４・・・クロック再生回路
４２６・・・メモリ回路
４２８・・・データ送受信回路
４３０・・・電源回路
【図１】
2004141854.tif 000003
【図２】
2004141854.tif 000004
【図３】
2004141854.tif 000005
【図４】
2004141854.tif 000006
【図５】
2004141854.tif 000007
【図６】
2004141854.tif 000008
【図７】
2004141854.tif 000009
【図８】
2004141854.tif 000010
【図９】
2004141854.tif 000011
【図１０】
2004141854.tif 000012